(57)【要約】【課題】簡単な構造で、軽量で、かつ取扱いが容易である転落防止装置を提供する。【解決手段】貨物車両１００の荷台１０１の煽戸１０１ａの上縁部に着脱可能に立設された支柱２の間にロープ４を設け、ロープ４に、一端が作業員に結び付けられたワイヤーＷの他端のフックＷ１を着脱可能に取り付け、作業員Ｓの転落を防止するための転落防止装置１である。支柱２の下端は、台座部材３を介して荷台１０１に取り付けられ、台座部材３は、煽戸１０１ａを挟む２つの鉛直部１１Ａ、１１Ｂと、両鉛直部１１Ａ、１１Ｂの上端を連結する水平部１１Ｃとを有するコの字形状の本体１１と、本体１１を煽戸１０１ａに締め付け固定する固定具１２と、本体１１に設けられ支柱２の下端が挿入される有底筒状の保持部１３とを備える。【選択図】  図２
2018078932.tif 000002
【特許請求の範囲】
【請求項１】
貨物車両の荷台の外周部に、鉛直方向に延びる２つの支柱が着脱可能に設けられ、前記２つの支柱の間にロープが掛け渡され、前記ロープに一端が作業員に結び付けられたワイヤーの他端が着脱可能に取り付けられる、転落防止装置であって、
前記各支柱の下端部は、台座部材を介して前記荷台の外周部に取り付けられ、
前記台座部材は、
前記荷台の外周部の内外側に配置可能である２つの鉛直部と、前記２つの鉛直部を連結する水平部とを有する本体と、
前記鉛直部の一方に設けられ前記両鉛直部の間に前記外周部を挟んだ状態で前記本体を前記外周部に固定する固定具と、
前記鉛直部の他方に設けられ前記支柱の下端が挿入される有底筒状の保持部と、
を備えることを特徴とする、転落防止装置。
【請求項２】
前記固定具は、ねじ棒を有し、
前記ねじ棒は、前記鉛直部の一方に螺入され、前端が前記鉛直部の他方に向かって進退可能である、
請求項１に記載の転落防止装置。
【請求項３】
前記ねじ棒は、
前端部に皿状の接触部と、後端部に握り部と、を備える、
請求項２に記載の転落防止装置。
【請求項４】
前記鉛直部は、縦長に構成されていて、
前記鉛直部の他方に設けられた前記保持部が所定の長さであり、
前記保持部に前記支柱を挿入した状態で、該支柱が自立する、
請求項１乃至請求項３のいずれか１項に記載の転落防止装置。
【請求項５】
前記鉛直部は、断面コの字形状で、開放部分が外向きとなるように設けられており、
前記鉛直部の他方の開放部分内に前記保持部が設けられている、
請求項１乃至請求項４のいずれか１項に記載の転落防止装置。
【請求項６】
前記固定具は、前記鉛直部の他方に、前記鉛直部の長手方向に沿って複数個設けられている、
請求項１乃至請求項５のいずれか１項に記載の転落防止装置。
【請求項７】
前記水平部は、平行に配置され前記両鉛直部の上端部同士を連結する２枚の平板で構成される、
請求項１乃至請求項６のいずれか１項に記載の転落防止装置。
【請求項８】
請求項１乃至請求項７のいずれか１項に記載の転落防止装置を備える、貨物車両。
【発明の詳細な説明】
【技術分野】
【０００１】
本発明は、貨物車両の荷台から作業員が転落するのを防止する転落防止装置およびそれを備える貨物車両に関する。
【背景技術】
【０００２】
従来より、施工中における足場や鉄骨材等からの作業員の転落事故の防止には、注意が喚起されてきたため、この種の転落事故は減少している。そこで、さらに踏み込んで、資材などの搬出入時におけるトラックの荷台からの作業員の転落事故の防止の必要性に目が向けられるようになりつつある。
【０００３】
そこで、貨物車両の荷台上での作業性及び安全性を高めることのできる転落防止装置が提案されている（例えば特許文献１参照）。この転落防止装置は、貨物車両の荷台の外周部に着脱可能に立設された複数の支柱と、前記複数の支柱の各々と前記外周部に沿って当該各々の支柱に隣接する前記複数の支柱のうちの何れかの支柱との間に、且つ前記各々の支柱に沿った異なる高さの間に展開された網とを備え、前記複数の支柱は前記荷台の煽に取り付けられており、前記複数の支柱の各々は、前記煽に着脱可能に取り付けられた台座部と、前記台座部に下端が着脱可能に取り付けられることにより前記台座部に立てられている柱状部と、を有するものである。
【０００４】
そして、前記台座部は、煽戸の端縁の上に載る部分である胴部、及び煽戸を挟むように胴部の下方に突出する４本の脚部を有し、胴部と脚部とは溶接により一体に連結され、互いに対向する脚部は、煽戸の端縁に沿った２箇所に位置するように、胴部の左右の端部に連結されている。そして、胴部は、正面板、背面板、４枚の連結板、及び当接板を有し、前後に対をなす正面板と背面板とは、４枚の連結板、及び当接板によって溶接によって一体に連結されている。
【特許文献１】特許第３７５６９２４号公報
【発明の概要】
【発明が解決しようとする課題】
【０００５】
前述した特許文献１記載のものでは、構造が複雑で別途ねじやボルトなどの固定具が必要であるため、柱状部の下端を着脱可能に取り付けられる台座部の構造をより簡単な構造にすることが望まれている。それに加えて、より軽量であることや取扱いがより容易であることも、併せて望まれている。
【０００６】
本発明は、簡単な構造で、軽量で、かつ取扱いが容易である転落防止装置およびそれを備えた貨物車両を提供することを目的とする。
【課題を解決するための手段】
【０００７】
本発明に係る一の態様の転落防止装置は、貨物車両の荷台の外周部に、鉛直方向に延びる２つの支柱が着脱可能に設けられ、前記２つの支柱の間にロープが掛け渡され、前記ロープに、一端が作業員に結び付けられたワイヤーの他端が着脱可能に取り付けられ、前記作業員の、前記荷台からの転落を防止する転落防止装置であって、前記各支柱の下端部は、台座部材を介して前記荷台の外周部に取り付けられ、前記台座部材は、前記荷台の外周部の内外側に配置可能である２つの鉛直部と、前記２つの鉛直部を連結する水平部とを有する本体と、前記鉛直部の一方に設けられ前記両鉛直部の間に前記外周部を挟んだ状態で前記本体を前記外周部に固定する固定具と、前記鉛直部の他方に設けられ前記支柱の下端が挿入される有底筒状の保持部と、を備えることを特徴とする。
【０００８】
このようにすれば、荷台の外周部に固定された本体の保持部にて保持される、２つの支柱の間に掛け渡されたロープに、一端が作業員に結び付けられたワイヤーの他端を着脱可能に取り付けることで、作業中などにおける前記作業員の、荷台からの転落を防止することができる。台座部材は、荷台の外周部に固定具にて固定された本体の保持部に支柱の下端を保持させるものであるので、構造が簡単かつ軽量で取扱いが容易である。また、台座部材が固定具を備えるので、別途のねじやボルトが必須でない。
【０００９】
また、この転落防止装置は、貨物車両の荷台以外に、所定幅を有する壁や柵などに設置して用いることも可能である。また、１つの転落防止装置を用いて、１つの支柱を設置するような使用も可能である。
【００１０】
また、この転落防止装置は、前記固定具が、ねじ棒を有し、前記ねじ棒は、前記鉛直部の一方に螺入され、前端が前記鉛直部の他方に向かって進退可能な構成が望ましい。このようにすれば、鉛直部の他方と固定具の前端との間に、荷台の外周部を挟んで締め付けることにより、台座部材を荷台の外周部にしっかり固定することができる。
【００１１】
また、この転落防止装置は、前記ねじ棒が、前端部に皿状の接触部と、後端部に握り部と、を備えることが望ましい。このようにすれば、鉛直部の他方と皿状の接触部との間で荷台の外周部を締め付けて本体を固定するので、簡単で安定した固定を実現できる。
【００１２】
また、この転落防止装置は、前記鉛直部が縦長に構成されていて、前記鉛直部の他方に設けられた前記保持部が所定の長さであり、前記保持部に前記支柱を挿入した状態で、該支柱が自立する。このようにすれば、保持部が縦長で十分な長さを有しているので、ここに支柱を挿入することで、別途ねじやボルトなどを用いることなく、支柱がしっかりと保持され、倒れることなく自立可能となる。そのため、支柱を保持するための別途ターンバックル等の器具を必要とせず、簡易な構造とできる。ここで、所定の長さとは、１５０ｍｍ〜６００ｍｍが好ましく、３００ｍｍ〜５００ｍｍがより好ましい。これは、使用される支柱の長さが概ね１ｍ〜２．５ｍほどであるところ、上記範囲の長さの保持部であれば、これらの支柱を安定して保持しうるためである。
【００１３】
また、この転落防止装置は、前記両鉛直部が、断面コの字形状で、開放部分が外向きとなるように設けられており、前記鉛直部の他方の開放部分内に前記保持部が設けられていることが望ましい。このようにすれば、保持部を鉛直部の他方の開放部分内にしっかりと設けることができる。
【００１４】
また、この転落防止装置は、前記固定具が、前記鉛直部の他方に、前記鉛直部の長手方向に沿って複数個設けられていることが望ましい。このようにすれば、固定具による固定箇所が、前記鉛直部の長手方向に沿って複数箇所となるので、固定が確実となる。
【００１５】
また、この転落防止装置は、前記水平部が、平行に配置され前記両鉛直部の上端部を連結する２枚の平板で構成されることが望ましい。このようにすれば、水平部が２枚の平板で構成されるので、構造を簡単にし、軽量化を図ることができる。
【００１６】
本発明に係る一の態様の貨物車両は、請求項１乃至請求項６のいずれか１項に記載の転落防止装置を備える貨物用車両である。このようにすれば、転落防止装置を利用して、貨物車両の荷台より作業員が転落するのを防止できる。
【発明の効果】
【００１７】
本発明によれば、荷台の外周部に固定された本体の保持部にて保持される、２つの支柱の間に掛け渡されたロープに、一端が作業員に結び付けられたワイヤーの他端を着脱可能に取り付けることで、前記作業員の転落を防止することができる。また、台座部材は、荷台の外周部に固定具にて固定された本体の保持部に支柱の下端を保持させるものであるので、構造が簡単で、軽量で、取扱いが容易である。
【図面の簡単な説明】
【００１８】
【図１】本発明の一実施形態である転落防止装置を取り付けた貨物用車両の概略側面図である。
【図２】台座部材を示す斜視図である。
【図３】前記台座部材の正面図である。
【図４】前記台座部材の平面図である。
【図５】固定具を省略して示す、図３のＡ方向矢視図である。
【発明を実施するための形態】
【００１９】
以下、本発明の一実施形態を図面に基づき説明するが、本発明はこの実施形態に限定されるものではない。図１は、本発明の一実施形態である転落防止装置を取り付けた貨物用車両の概略側面図である。
【００２０】
この貨物車両１００は、例えば大型トラックで、荷台１０１には、転落防止装置１が着脱可能に設置されている。転落防止装置１は、２つの支柱２、台座部材３、及びロープ４を備える。台座部材３は、クランプ機構により、荷台１０１の煽戸１０１ａ（外周部）の上縁に着脱可能に取り付けられる。
【００２１】
支柱２は、台座部材３に下端部が支持されることにより取り付けられる。このようにして、支柱２は、荷台１０１の外周部に台座部材３を介して鉛直方向に延びる状態で取り付けられる。なお、支柱２は円柱であっても、角柱であってもよい。
【００２２】
支柱２は、１つの煽戸１０１ａの前後あるいは左右に立設される。例えば図１に示すように、左側の煽戸１０１ａの前後に一定距離を挟んで台座部材３、３が２つ取り付けられ、そのような台座部材３、３それぞれに支柱２、２が取り付けられる。これにより、左側の煽戸１０１ａの前後に、２つの支柱２、２が鉛直方向に延びるように平行に並んで設けられる。
【００２３】
各支柱２の上端には被取付具２ａが設けられており、それら被取付具２ａに、ロープ４の端部に設けられた取付具４ａがそれぞれ係合され、それにより、前後の支柱２の上端の間に、１本のロープ４が掛け渡される。
【００２４】
このようにして、支柱２の間に掛け渡されたロープ４に、一端が作業員Ｓの胴部に結び付けられたワイヤーＷの他端のフックＷ１を着脱可能に取り付けることで、作業員Ｓの移動範囲がワイヤーＷの長さに対応する範囲に制限され、それによって荷台１０１からの作業員Ｓの転落が防止される。フックＷ１により着脱可能に取り付けているだけであるので、作業終了後は、ロープ４から簡単に取り外すことができる。
【００２５】
台座部材３は、図２及び図３に示すように、煽戸１０１ａの外周部上縁の内外側に配置できるように平行に延びる２つの鉛直部１１Ａ、１１Ｂと、それら鉛直部１１Ａ、１１Ｂの上端を連結する水平部１１Ｃを有する正面視略コの字形状の本体１１と、この本体１１を煽戸１０１ａの外周部上縁の必要位置に締め付けにより固定するための複数の固定具１２と、本体１１に設けられ支柱２の下端が挿入される有底円筒状の保持部１３とを備える。
【００２６】
水平部１１Ｃは、比較的薄い、２枚の平板を平行に配置することで構成され、軽量化が図られている。固定具１２による固定箇所が、鉛直部１１Ａ、１１Ｂの長手方向に沿って複数箇所(この実施の形態では、３箇所）となるので、荷台１０１への固定が確実となる。
【００２７】
また、保持部１３は、支柱２の外径に対応する内径の挿入孔１３ａを有し、この挿入孔１３ａ内に下端部を挿入することで、台座部材３は、支柱２は安定して支持することができる。
【００２８】
鉛直部１１Ａ、１１Ｂは、図４に示すように、それぞれ断面コの字形状のチャンネル材で、開放部分が外向きとなるように配置されている。そして、一方の鉛直部１１Ａに固定具１２が螺入され、固定具１２が他方の鉛直部１１Ｂに向かって進退可能である。つまり、一方の鉛直部１１Ａは、図５に示すように、外側(前記開放部分内)に溶接により固定されたナットを有し、そのナット１４にねじ棒１２ａがねじ込まれることで、他方の鉛直部１１Ｂに向かってねじ棒１２ａが進退可能となっている。また、他方の鉛直部１１Ｂの開放部分内には保持部１３が溶接によりしっかりと設けられている。
【００２９】
固定具１２は、一方の鉛直部１１Ａに螺入されるねじ棒１２ａと、ねじ棒１２ａの一端部に設けられる皿状の接触部１２ｂと、ねじ棒１２ａの他端部に設けられる握り部１２ｃとを有し、接触部１２ｂが両鉛直部１１Ａ、１１Ｂの間の空間部分に位置するように設けられている。接触部１２ｂの周縁にはクッション材１２ｄが設けられている。クッション材１２ｄは、例えばゴムを材料とし、さらに望ましくは高い強度が得られるウレタンを材料とすることができる。
【００３０】
支柱２は、荷台１０１に取り付けられた台座部材３の保持部１３に下端が挿入されることにより、垂直方向に延びるように安定的に支持される。なお、支柱２は、この実施の形態では、鋼（スチール）を材料としているが、より軽量化を図るために、軽量金属、例えばアルミニウム合金を材料とするようにしてもよい。
【００３１】
前述した転落防止装置１によれば、主たる構成要素である鉛直部１１Ａ、１１Ｂは断面コ字形状のチャンネル材であり、水平部１１Ｃは、２枚の平板であり、保持部１３は有底筒状であるので、簡単な構造で、軽量で、かつ取扱いが容易である。
【００３２】
転落防止装置１を取り付ける場合には、まず台座部材３を、図１に示すように、煽戸１０１ａの外周部上縁を跨ぐように取り付けられる。つまり、台座部材３を、上側から、鉛直部１１Ａ、１１Ｂの間に煽戸１０１ａの外周部上縁が位置するように挟み込む。このとき、接触部１２ｂは、一方の鉛直部１１Ａ寄りに位置しており、接触部１２ｂと他方の鉛直部１１Ｂとの間の空間部分は、煽戸１０１ａの外周部上縁の幅よりも十分広くなっている。
【００３３】
それから、握り部１２ｃを把持して回転操作すれば、ねじ棒１２ａが回転し、ねじ棒１２ａの前端である接触部１２ｂが他方の鉛直部１１Ｂに向かって徐々に前進する。そして、接触部１２ｂが煽戸１０１ａの表面に接触し、この表面を接触部１２ｂにて押圧する。このとき、他方の鉛直部１１Ｂの内側面が煽戸１０１ａの表面に接触しているので、鉛直部１１Ｂの内側面と接触部１２ｂとの間に煽戸１０１ａを挟み込むことになる。
【００３４】
接触部１２ｂは皿状で、接触面積が広くなるので、挟み込みによる台座部材３の固定が安定することになる。また、固定具１２による固定箇所が、鉛直部１１Ａ、１１Ｂの長手方向に沿って等間隔で３箇所となるので、荷台１０１(煽戸１０１ａ)への固定が確実となる。
【００３５】
このように、鉛直部１１Ｂの内側面と接触部１２ｂとで煽戸１０１ａを強く締め付けて挟持することによって、台座部材３は煽戸１０１ａの外周部上縁にしっかりと移動不能に固定される。このように、台座部材３のクランプ機構により、台座部材３が荷台１０１にしっかりと固定される。
【００３６】
そして、取付固定された台座部材３とは、必要な距離だけ離れて、もう一つの台座部材３を、煽戸１０１ａの外周部上縁に、同様に取付固定する。
【００３７】
次に、しっかりと固定された２つの台座部材３それぞれに、支柱２を取り付ける。支柱２を台座部材３に取り付けるには、支柱２を直立した状態で荷台１０１の煽戸１０１ａの上まで持ち上げ、その下端部を台座部材３の保持部１３に上側から挿入孔１３ａ内に挿入する。
【００３８】
それから、各支柱２、２の上端の被取付具２ａ、２ａに、ロープ４の各端部に設けられた取付具４ａ、４ａをそれぞれ係合させて着脱可能に取り付ける。これにより、ロープ４が、２つの支柱２、２の上端の間に掛け渡され、それによって転落防止装置１が荷台１０１に取り付けられたことになる。
【００３９】
例えば、クレーンを用いて積載物を荷台１０１から降ろす作業を行う場合には、作業員Ｓが荷台１０１の上、あるいは積載物の上に上って、クレーンの吊り具などに積載物を吊り下げる準備、そして合図を行って所定の位置まで吊り上げさせる等の作業（いわゆる玉掛け）を行う必要がある。
【００４０】
その作業に先だって、支柱２の間に掛け渡されたロープ４に、一端が作業員Ｓの胴部に結び付けられたワイヤーＷの他端のフックＷ１を取り付けることにより、作業員Ｓの安全が確保される。
【００４１】
つまり、作業中に、積載物が不測の動きをする等により、作業員Ｓがバランスを失う場合、あるいは足場を失う場合があるが、このような不測の事態が発生しても、ワイヤーＷが作業員Ｓの身体を受け止め、作業員Ｓが荷台１０１から転落することを防止するので、作業員の安全は確保される。
【００４２】
また、作業終了後は、フックＷ１をロープ４から取り外すことで、作業者は自由に移動できるようになる。
【００４３】
前記実施の形態では、台座部材３の、２つの鉛直部１１Ａ、１１Ｂは断面コの字状のチャンネル材としているが、板状としたり、柱状とすることも可能である。
【００４４】
また、水平部１１Ｃも、２枚の平板に限らず、比較的厚さが厚く強度を確保できる１枚の平板としたり、断面コ字状のチャンネル材としたり、柱材とすることもできる。それに加えて、鉛直部１１Ａ、１１Ｂの上端同士を連結するものに制限されず、他の部分を連結するものとすることも可能である。
【００４５】
以上のとおり、図面を参照しながら本発明の好適な実施形態を説明したが、本発明の趣旨を逸脱しない範囲内で、種々の追加、変更または削除が可能である。例えば、本実施形態では、転落防止装置を貨物車両の荷台に取り付けて使用しているが、これに限られず所定幅の壁や柵に取り付けて使用してもよい。また、本実施形態では、一対の転落防止装置を用いているが、これに限られず１の転落防止装置を用いて１の支柱を設置して使用してもよい。したがって、そのようなものも本発明の範囲内に含まれる。
【符号の説明】
【００４６】
１  転落防止装置
２  支柱
３  台座部材
１１  本体
１１Ａ、１１Ｂ  鉛直部
１１Ｃ  水平部
１２  固定具
１３  保持部
１３ａ  挿入孔
１４  ナット
１００  貨物車両
１０１  荷台
１０１ａ  煽戸
Ｓ  作業員
Ｗ  ワイヤー
Ｗ１  フック
【図１】
2018078932.tif 000003
【図２】
2018078932.tif 000004
【図３】
2018078932.tif 000005
【図４】
2018078932.tif 000006
【図５】
2018078932.tif 000007
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
貨物車両の荷台の外周部に、鉛直方向に延びる２つの支柱が着脱可能に設けられ、前記２つの支柱の間にロープが掛け渡され、前記ロープに一端が作業員に結び付けられたワイヤーの他端が着脱可能に取り付けられる、転落防止装置であって、
前記各支柱の下端部は、台座部材を介して前記荷台の外周部に取り付けられ、
前記台座部材は、
前記荷台の外周部の内外側に配置可能である２つの鉛直部と、前記２つの鉛直部を連結する水平部とを有する本体と、
前記鉛直部の一方に設けられ前記両鉛直部の間に前記外周部を挟んだ状態で前記本体を前記外周部に固定する固定具と、
前記鉛直部の他方に設けられ前記支柱の下端が挿入される有底筒状の保持部と、
を備え、
前記２つの鉛直部は、それぞれ、断面コの字形状で、開放部分が外向きとなるように設けられており、
前記保持部は、前記鉛直部の他方の開放部分内に設けられていることを特徴とする、転落防止装置。
【請求項２】
前記固定具は、ねじ棒を有し、
前記ねじ棒は、前記鉛直部の一方に螺入され、前端が前記鉛直部の他方に向かって進退可能である、
請求項１に記載の転落防止装置。
【請求項３】
前記ねじ棒は、
前端部に皿状の接触部と、後端部に握り部と、を備える、
請求項２に記載の転落防止装置。
【請求項４】
前記鉛直部は、縦長に構成されていて、
前記鉛直部の他方に設けられた前記保持部が所定の長さであり、
前記保持部に前記支柱を挿入した状態で、該支柱が自立する、
請求項１乃至請求項３のいずれか１項に記載の転落防止装置。
【請求項５】
前記固定具は、前記鉛直部の他方に、前記鉛直部の長手方向に沿って複数個設けられている、
請求項１乃至請求項４のいずれか１項に記載の転落防止装置。
【請求項６】
前記水平部は、平行に配置され前記両鉛直部の上端部同士を連結する２枚の平板で構成される、
請求項１乃至請求項５のいずれか１項に記載の転落防止装置。
【請求項７】
請求項１乃至請求項６のいずれか１項に記載の転落防止装置を備える、貨物車両。
【手続補正２】
【補正対象書類名】明細書
【補正対象項目名】０００７
【補正方法】変更
【補正の内容】
【０００７】
本発明に係る一の態様の転落防止装置は、貨物車両の荷台の外周部に、鉛直方向に延びる２つの支柱が着脱可能に設けられ、前記２つの支柱の間にロープが掛け渡され、前記ロープに、一端が作業員に結び付けられたワイヤーの他端が着脱可能に取り付けられ、前記作業員の、前記荷台からの転落を防止する転落防止装置であって、前記各支柱の下端部は、台座部材を介して前記荷台の外周部に取り付けられ、前記台座部材は、前記荷台の外周部の内外側に配置可能である２つの鉛直部と、前記２つの鉛直部を連結する水平部とを有する本体と、前記鉛直部の一方に設けられ前記両鉛直部の間に前記外周部を挟んだ状態で前記本体を前記外周部に固定する固定具と、前記鉛直部の他方に設けられ前記支柱の下端が挿入される有底筒状の保持部とを備え、前記２つの鉛直部は、それぞれ、断面コの字形状で、開放部分が外向きとなるように設けられており、前記保持部は、前記鉛直部の他方の開放部分内に設けられていることを特徴とする。
【手続補正３】
【補正対象書類名】明細書
【補正対象項目名】０００８
【補正方法】変更
【補正の内容】
【０００８】
このようにすれば、荷台の外周部に固定された本体の保持部にて保持される、２つの支柱の間に掛け渡されたロープに、一端が作業員に結び付けられたワイヤーの他端を着脱可能に取り付けることで、作業中などにおける前記作業員の、荷台からの転落を防止することができる。台座部材は、荷台の外周部に固定具にて固定された本体の保持部に支柱の下端を保持させるものであるので、構造が簡単かつ軽量で取扱いが容易である。また、台座部材が固定具を備えるので、別途のねじやボルトが必須でない。
また、保持部を鉛直部の他方の開放部分内に設けているので、前記保持部を鉛直部の他方にしっかりと設けることができる。
【手続補正４】
【補正対象書類名】明細書
【補正対象項目名】００１３
【補正方法】削除
【補正の内容】